(57)【要約】【課題】簡易な構成でプリント基板に固定することができ、且プリント基板の中央部分の反りを阻止できる反り防止金具を提供する。【解決手段】電子部品を実装するプリント基板１１の中央部分に反り防止金具１６を設置し、はんだ付け処理時にプリント基板１１の中央部分を平面に保持する基板の反り防止構造において、基板１１に形成された矩形孔部１４と、矩形孔部14に反り防止金具１６を固定する係止爪１８と、プリント基板１１に自立するとともに矩形孔部14に合わせて折曲されて形成された板状部１７と、を備えていることを特徴とする基板の反り防止構造。【選択図】図２
2006100702.tif 000002
【特許請求の範囲】
【請求項１】
電子部品を搭載する基板のはんだ付け処理時に前記基板の中央部分を平坦に保持する基板の反り防止構造において、
前記基板の中央部分に設置され前記基板に自立する反り防止金具と、
前記反り防止金具を前記基板に固定する固定手段と、
を備えていることを特徴とする基板の反り防止構造。
【請求項２】
前記固定手段は、
前記基板に形成された孔部と、
前記反り防止金具に形成され前記孔部に挿通されてから折曲される係止部と、
を備えていることを特徴とする請求項1に記載の基板の反り防止構造。
【請求項３】
前記固定手段は、
前記基板に形成された孔部と、
前記反り防止金具に形成され前記孔部に挿通されて前記基板裏面に当接する係止部と、
前記基板に形成された係合孔部と、
前記反り防止金具に形成され前記係合孔部に係合される係合部と、
を備えていることを特徴とする請求項１に記載の基板の反り防止構造。
【発明の詳細な説明】
【技術分野】
【０００１】
本発明は、基板の反り防止構造に関する。
【背景技術】
【０００２】
従来、噴流型はんだ供給装置においては、窒素雰囲気下にある筐体内に、表面に複数の電子部品がマウントされたプリント基板を搬送しながら、当該筐体内の所定位置に設置された噴射ノズルを介して溶融はんだを噴射することにより、プリント基板の裏面全体に溶融はんだを吹き付け得るようになされている。
【０００３】
例えば、図８に示す従来のプリント基板５１の搬送方向の前後端部には、所定形状の基板支持機構５２が取付けられており、はんだ付け処理時に、プリント基板５１の両側面を、図示しない保持機構を用いて保持した状態で搬送方向（図８における矢印の前後進方向）に搬送することにより、プリント基板５１が溶融はんだの高熱によって軟化した場合でも基板支持機構５２によってプリント基板５１に反りが生じるのを防止し得るようになされている（特許文献１〜特許文献３参照）。
【特許文献１】特開２００１−７７４６９号公報
【特許文献２】特開平１１−３０７９５９号公報
【特許文献３】実開平５−５９８８１号公報
【発明の開示】
【発明が解決しようとする課題】
【０００４】
ところが、実際には、はんだ付け処理時、溶融はんだが吹き付けられたプリント基板５１は、前後端部に基板支持機構５２が取付けられ、且両側面が噴流型はんだ供給装置の保持機構によって保持されていても、当該溶融はんだの高熱がプリント基板５１に伝導していて全体的に軟化すると重力によって中央部分が垂れ下がる傾向があった。
【０００５】
この結果、吹き付けられた溶融はんだがプリント基板５１の中央部分に垂れてくるため、溶融はんだを吹き付けるのに要する時間が長くかかってしまう。さらに溶融はんだの吹き付け時間が長くなると、プリント基板５１に配設された複数の電子部品５３のうち耐熱時間を超過した電子部品５３が内部破壊を起こす虞があった。
【０００６】
また、軟化状態にあるプリント基板５１の中央部分が垂れ下がったために噴流型はんだ供給装置の噴射ノズルに近接しすぎたときには、プリント基板５１に形成された種々の貫通孔を介して溶融はんだが各電子部品５３に付着する虞があった。
【０００７】
この問題を解決する一つの手法として、噴流型はんだ供給装置の内部にプリント基板５１の中央部分を下方から支持する反り防止装置を設け、当該装置を用いてはんだ付け処理時に高熱化で軟化したプリント基板５１の中央部分が重力によって垂れ下がるのを防止するようになされた方法が提案されている。
【０００８】
ところが、上記反り防止装置は構成が煩雑であり、密閉空間を形成する噴流型はんだ供給装置の筐体内で専有する空間が大きくなってしまうという問題があった。
【０００９】
本発明は上記従来の問題を考慮してなされたものであり、簡易な構成でプリント基板の中央部分の反りを防止しうる反り防止金具を提供することを目的とするものである。
【課題を解決するための手段】
【００１０】
前記課題を解決するために、請求項１に記載の発明は、電子部品を搭載する基板のはんだ付け処理時に前記基板の中央部分を平坦に保持する基板の反り防止構造において、前記基板の中央部分に設置され前記基板に自立する反り防止金具と、前記反り防止金具を前記基板に固定する固定手段と、を備えていることを特徴とする。
【００１１】
請求項２に記載の発明は、請求項１に記載の基板の反り防止構造であって、前記固定手段は、前記基板に形成された孔部と、前記反り防止金具に形成され前記孔部に挿通されてから折曲される係止部と、を備えていることを特徴とする。
【００１２】
請求項３に記載の発明は、請求項１に記載の基板の反り防止構造であって、前記固定手段は、前記基板に形成された孔部と、前記反り防止金具に形成され前記孔部に挿通されて前記基板裏面に当接する係止部と、前記基板に形成された係合孔部と、前記反り防止金具に形成され前記係合孔部に係合される係合部と、を備えていることを特徴とする。
【発明の効果】
【００１３】
本発明によれば、簡易な構成の反り防止金具をプリント基板中央部分に略垂直に自立させて固定させることができ、且プリント基板の中央部分を平坦に保持できる。
【発明を実施するための最良の形態】
【００１４】
以下、図面を参照して本発明の実施形態を詳細に説明する。ただし、発明の範囲は図示例に限定されない。
[第一の実施形態]
【００１５】
図１から図４は本発明に係る反り防止金具の第一の実施形態を示したものであり、図１は本発明に係る基板の反り防止構造の第一の実施形態を示す斜視図であり、図２は第一の実施形態の基板の反り防止構造を示す分解斜視図である。
【００１６】
第一の実施形態におけるプリント基板１１は、平板状に形成されており、表面１２には種々の電子部品（図示せず）が実装されるようになっており、これら各電子部品は、プリント基板１１の裏面１３からはんだ付け処理されるようになっている。
【００１７】
プリント基板１１の前後端部には端部の反りを防止する従来の基板支持機構（図示せず）がそれぞれ設置されており、且両側面はプリント基板１１を平面に保持しながら搬送する噴流型はんだ供給装置の保持機構（図示せず）によって保持されるようになっている。
なお、周縁部の反りを防止する機構は公知のものであるため本実施形態で用いられる機構に限定されない。
【００１８】
本実施形態の反り防止金具１６は、プリント基板１１を平坦に保持する板状部１７と、板状部１７をプリント基板１１に固定する係止爪１８とから構成されている。
【００１９】
反り防止金具１６の板状部１７は、平板の二箇所を平面視略直角に折曲されたクランク状に形成されており、この板状部１７は、折曲部分に挟まれる部分が、折曲部分の外側に配置される部分よりも短くなるように形成されている。このように反り防止金具１６の板状部１７をクランク状に形成することにより、反り防止金具１６はプリント基板１１の表面１２に略垂直方向に自立することができるようになっている。
【００２０】
板状部１７の下面には、側面視にて略Ｌ字状の係止爪１８が、その先端部が板状部１７の折曲部分に指向されるように配設されている。
【００２１】
プリント基板１１の各係止爪１８と対応する位置には、平面視矩形状の矩形孔部１４がそれぞれ穿設されている。これら各矩形孔部１４には、反り防止金具１６の各係止爪１８が挿通されるようになっており、この状態で、プリント基板１１の各係止爪１８の先端部は、プリント基板１１の裏側に突出するようになっている。
【００２２】
そして、係止爪１８の先端部は、図に示すように、プリント基板１１の裏側で折曲されて、プリント基板１１の裏面１３に当接されるようになっている。この状態で、係止爪１８は矩形孔部１４に係合されて、プリント基板１１に固定されるようになっている。
【００２３】
このように本実施形態の反り防止金具１６の固定手段は、プリント基板１１に穿設された矩形孔部１４と、矩形孔部１４に係合される係止爪１８とから構成されるものである。
なお、板状部１７の折曲形状はプリント基板１１に対して自立できる形状であればよく、平板を平面視略Ｚ字状に折曲形成する等、適宜変更可能である。さらに、板状部１７の設置位置についても、係止爪１８が矩形孔部１４に挿通されればよく、プリント基板１１の電子部品の実装を妨げない任意の位置に設置することができる。
【００２４】
次に、第一の実施形態の作用について説明する。
【００２５】
反り防止金具１６をプリント基板１１に取付ける場合は、まず、反り防止金具１６の係止爪１８を、プリント基板１１の表面１２から裏面１３に向かって矩形孔部１４に挿通させて、プリント基板１１の裏面１３に突出させる。図３はこの際の固定手段の斜視図である。
【００２６】
この際、プリント基板１１の表面１２には反り防止金具１６の板状部１７が設置される。この時、板状部１７は平板をクランク状に折曲して形成されており、それぞれの平板面がプリント基板１１の表面１２に略垂直に設置されることになるので、反り防止金具１６は、プリント基板１１に対して傾斜することなくプリント基板１１と反り防止金具１６とが略直交した状態で自立することができる。
【００２７】
続いて、プリント基板１１の裏面１３に突出している係止爪１８の先端部を図４に示すように折曲させる。折曲された係止爪１８はプリント基板１１の裏面１３に当接して、係止爪１８は矩形孔部１４に係合される。係止爪１８が矩形孔部１４に係合されて、係止爪１８の抜けを防止することができる。このようにして、係止爪１８を矩形孔部１４に係合して、プリント基板１１と反り防止金具１６とを固定する。
なお、係止爪１８の形状・折曲の方向については、係止爪１８が矩形孔部１４に係止されて、係止爪１８の抜けを防止することができればよく、適宜変更可能である。
【００２８】
最後に、はんだ付け処理を行い、プリント基板１１の裏面１３に溶融はんだを被着させ、反り防止金具１６の係止爪１８をプリント基板１１に確実に固定させて、取付けを完了させる。
【００２９】
以上、第一の実施形態に係る反り防止金具１６は、簡易な構成でプリント基板１１の表面１２に固定させることができ、プリント基板１１の中央部分を平坦に保持することができる。
【００３０】
また、係止爪１８を折曲した時点で、プリント基板１１は反り防止金具１６に保持されるので、はんだ付け処理前に反り防止金具１６がプリント基板１１から外れる虞がなく、プリント基板１１と反り防止金具１６とを確実に固定させることができる。
【００３１】
また、第一の実施形態に係る反り防止金具１６は、折曲形成された板状部１７を備えているので、プリント基板１１の矩形孔部１４に係止爪１８を挿通させて板状部１７を表面１２に設置しただけで、板状部１７をプリント基板１１に対して傾斜せずに略垂直に自立させることができる。
【００３２】
また、第一の実施形態に係る反り防止金具１６は、板状部１７がプリント基板１１の表面１２に沿って固定されるので、はんだ付け処理後のプリント基板１１の強度が増し、振動時や落下時のプリント基板１１の破損を有効に防止する。
【００３３】
また、第一の実施形態に係る反り防止金具１６によれば、金属で形成された反り防止金具１６がプリント基板１１に接する構成とされているので、プリント基板１１の各部の電位を合わせて電気的に接地させるアース金具としての効果も得られる。
[第二の実施の形態]
【００３４】
次に、本発明に係る反り防止金具の第二の実施形態について図５から図７を参照して説明する。
図５は第二の実施形態の斜視図であり、図６は第二の実施形態の基板の反り防止構造の分解斜視図であり、図７は図５のＡ−Ａ´線における縦断面図である。
【００３５】
第二の実施形態のプリント基板２１は、第一の実施形態のプリント基板１１と同様に、平板状に形成されており、表面２２には種々の電子部品（図示せず）が実装され、周縁部は図示しない従来の反りを防止する機構によって保持されている。
【００３６】
本実施形態の反り防止金具２６は、プリント基板２１を平坦に保持する板状部２７と、板状部２７をプリント基板２１に固定する係止片２８と、係合部２９と、から構成されている。反り防止金具２６は、プリント基板２１の表面２２に板状部２７と、係合部２９とを延在させるとともに、裏面２３に係止片２８を当接させて、プリント基板２１を保持して固定するようになっている。
【００３７】
本実施形態における反り防止金具２６の板状部２７は、第一の実施形態の板状部１７と同様のものが用いられており、同様の構成、作用については説明を省略する。
【００３８】
板状部２７の下面には、平面視ほぼＬ字状の係止片２８が配設されている。係止片２８は、板状部２７の下端縁から同一平面上に延在する４つの矩形状の挿通部２８ａと、これら各挿通部２８ａの下端部から略垂直に延在する矩形状の貫通部２８ｂと、から構成されている。
【００３９】
板状部２７の下面であって各係止片２８の間には、プリント基板２１の表面２２に延在されるように板状部２７に対して略垂直に延在する平板状の係合部２９が配設されている。これら各係合部２９の下面には、下方に突出される半球状の突起部２９ａが形成されている。
【００４０】
プリント基板２１の各係止片２８に対応する位置には、平面視ほぼＬ字状のＬ字孔部２４がそれぞれ穿設されている。このＬ字孔部２４のうち係止片２８の挿通部２８ａが挿通される一辺は、挿通部２８ａの幅寸法より長く形成されており、係止片２８の挿通部２８ａは、Ｌ字孔部２４に挿通された状態でＬ字孔部２４に沿って移動自在とされている。
また、プリント基板２１のＬ字孔部２４の間には、係合部２９の突起部２９ａが係合される係合孔部２５が形成されている。
【００４１】
そして、反り防止金具２６の係止片２８をＬ字孔部２４に挿通させて、係止片２８の挿通部２８ａをＬ字孔部２４に挿通させるとともに、係止片２８の貫通部２８ｂをプリント基板２１の裏面２３に位置させる。この状態で、係止片２８をＬ字孔部２４に挿通されたままＬ字孔部２４に沿って移動させることにより、係合孔部２５に係合部２９の突起部２９ａを係合させ、これにより、反り防止金具２６をプリント基板２１に対して固定するようになっている。
【００４２】
本実施形態の反り防止金具２６の固定手段は、第一の実施形態における固定手段と異なり、プリント基板２１に形成されたＬ字孔部２４と、Ｌ字孔部２４に挿通されてプリント基板２１の裏面２３に当接する係止片２８と、プリント基板２１に形成された係合孔部２５と、プリント基板２１の表面２２に当接して係合孔部２５に係合される係合部２９とから構成されるようになっている。
【００４３】
次に、第二の実施形態の作用について説明する。
【００４４】
第二の実施形態の反り防止金具２６をプリント基板２１に取付ける場合は、まず、反り防止金具２６の係止片２８を、プリント基板２１の表面２２からＬ字孔部２４に挿通させて、プリント基板２１の裏面２３に突出させる。この際、係止片２８の挿通部２８ａはＬ字孔部２４に挿通されるとともに、貫通部２８ｂはＬ字孔部２４を貫通して、プリント基板２１の裏側に位置される。
【００４５】
この状態で、反り防止金具２６の板状部２７はプリント基板２１の表面２２に略垂直に自立され、係合部２９は表面２２に沿って設置される。
【００４６】
続いて、Ｌ字孔部２４に係止片２８を挿通させたまま、挿通部２８ａをＬ字孔部２４の端部に向かって移動させる。すると、係止片２８の貫通部２８ｂはプリント基板２１の裏側に貫通されているので、挿通部２８ａの移動に伴い、プリント基板２１の裏面２３に当接されながら移動される。
【００４７】
このようにして、プリント基板２１の表面２２には板状部２７と係合部２９が設置されるとともに、裏面２３には係止片２８の貫通部２８ｂが当接されるので、反り防止金具２６は板状部２７と、係止片２８とで、プリント基板２１を保持することができる。
【００４８】
上記の挿通部２８ａの移動の際には、係合部２９もプリント基板２１の表面２２に沿って移動される。係止片２８の挿通部２８ａがＬ字孔部２４の端部に位置するまで移動を続けると、係合部２９の突起部２９ａが係合孔部２５に係合されて、係合部２９がプリント基板２１の表面２２に固定される。
【００４９】
そして、係合部２９の突起部２９ａを係合孔部２５に係合させることにより、反り防止金具２６はプリント基板２１と水平方向に固定されるので、確実に反り防止金具２６とプリント基板２１とを固定させることができる。
【００５０】
以上のようにして、プリント基板２１を板状部２７と係止片２８と係合部２９とによって固定し、反り防止金具２６の取付けを完了する。
【００５１】
以上、第二の実施形態に係る反り防止金具２６によれば、第一の実施形態とは異なる簡易な構成の反り防止金具２６をプリント基板２１に略垂直に自立させて固定させることができるので、プリント基板２１を平坦に保持することができる。
【００５２】
また、第二の実施形態に係る反り防止金具２６によれば、係止片２８が平面視略Ｌ字状に設けられているので、プリント基板２１の所定位置に反り防止金具２６を設置した後に、反り防止金具２６を移動させて、係止片２８を裏面２３に当接させるだけで、プリント基板２１を裏面２３から保持することができる。
さらに、上記の挟持状態を保ったまま、係合部２９をプリント基板２１の係合孔部２５に係合させるだけで、プリント基板２１と反り防止金具２６を確実に固定させることができる。
【図面の簡単な説明】
【００５３】
【図１】第一の実施形態における基板の反り防止構造の斜視図である。
【図２】第一の実施形態における基板の反り防止構造の分解斜視図である。
【図３】第一の実施形態における反り防止金具の取り付け工程の説明図である。
【図４】第一の実施形態における反り防止金具の取り付け工程の説明図である。
【図５】第二の実施形態における基板の反り防止構造の斜視図である。
【図６】第二の実施形態における基板の反り防止構造の分解斜視図である。
【図７】図５Ａ−Ａ´線における縦断面図である。
【図８】従来の基板の反り防止構造の斜視図である。
【符号の説明】
【００５４】
１１，２１  プリント基板
１２，２２  プリント基板表面
１３，２３  プリント基板裏面
１４  矩形孔部
１６，２６  反り防止金具
１７，２７  板状部
１８  係止爪
２４  Ｌ字孔部
２５  係合孔部
２８  係止片
２９  係合部材
【図１】
2006100702.tif 000003
【図２】
2006100702.tif 000004
【図３】
2006100702.tif 000005
【図４】
2006100702.tif 000006
【図５】
2006100702.tif 000007
【図６】
2006100702.tif 000008
【図７】
2006100702.tif 000009
【図８】
2006100702.tif 000010